(57)【要約】【課題】  表示制御回路基板の交換時に、手動操作時のデータ転送作業忘れをなくすよううにする。【解決手段】  動作パラメータの格納が可能なメモリ１４および動作パラメータに応じた表示制御処理を行う制御手段（マイコン１３）を有する表示制御回路基板１１と、動作パラメータを退避するために、メモリ１４に格納された動作パラメータを転送して格納が可能なバックアップメモリ１６を有するバックアップメモリ設置基板１２と、バックアップメモリ１６に動作パラメータが格納されている状態で、メモリ１４に動作パラメータが格納されていない状態にあることを検出して警告を行う警告手段と、を有する。【選択図】  図１
2005309204.tif 000002
【特許請求の範囲】
【請求項１】
動作パラメータの格納が可能なメモリおよび前記動作パラメータに応じた表示制御処理を行う制御手段を有する表示制御回路基板と、
前記動作パラメータを退避するために、前記メモリに格納された前記動作パラメータを転送して格納が可能なバックアップメモリを有するバックアップメモリ設置基板と、
前記バックアップメモリに前記動作パラメータが格納されている状態で、前記メモリに前記動作パラメータが格納されていない状態にあることを検出して警告を行う警告手段と、
を有することを特徴とする表示装置。
【請求項２】
電源オフに応答して、前記動作パラメータが前記メモリから前記バックアップメモリへ転送されることを特徴とする請求項１記載の表示装置。
【請求項３】
修理サービスモードに設定する手段と、
前記修理サービスモードに設定されたことに応じて、前記バックアップメモリに格納された前記動作パラメータを前記メモリに書き戻すために、前記バックアップメモリ内の動作パラメータを前記メモリ内へ転送する手段と、を有することを特徴とする請求項１または２に記載の表示装置。
【請求項４】
前記バックアップメモリには前記動作パラメータが格納されているか否かを示す第１識別情報が格納され、前記メモリには前記動作パラメータが格納されているか否かを示す第２識別情報が格納されており、前記制御手段は、第１識別情報および第２識別情報にもとづき前記警告手段による警告を制御することを特徴とする請求項１〜３のいずれか１項に記載の表示装置。
【請求項５】
前記動作パラメータは、ホワイトバランス調整値、電力上限調整値、駆動波形調整値、駆動電圧調整値、累積パネル稼動時間のうち少なくとも１つを含むことを特徴とする請求項１〜４のいずれか１項に記載の表示装置。
【発明の詳細な説明】
【技術分野】
【０００１】
本発明は、表示装置に関する。
【背景技術】
【０００２】
ＰＤＰ（プラズマディスプレイパネル）などのディスプレイパネルを組み込んだ表示装置は、組み立て調整工程において、各製品に対して最適な動作パラメータ（例えば、ホワイトバランス調整値、電力上限調整値、駆動波形調整値、駆動電圧調整値）が設定され、表示制御回路基板上の不揮発性メモリにその動作パラメータが格納されている。そして、組み立て調整が行われて、出荷された製品は、前記各動作パラメータに応じた最適の駆動波形、駆動電圧、消費電力、ホワイトバランスにて表示を行う。
【０００３】
ところが、表示制御回路基板に障害が発生し、修理サービスのため、表示制御回路基板を交換する必要が生じた場合に、基板の交換によってこの表示制御回路基板と共に、これに搭載された前記各動作パラメータを格納したメモリも交換されてしまう。
【０００４】
このため、その製品に対して設定された最適の動作パラメータも失われてしまうという不都合がある。この場合には、修理サービスの現場で、大規模な動作パラメータの設定作業、パネル調整、画質調整作業を強いられる。
【０００５】
これに対し、交換される表示制御回路基板とは別に設置した基板に、バッテリバックアップされたバックアップメモリを設け、電源オフに応答して動作パラメータをバックアップメモリに退避することが行われている。
【０００６】
この場合には、電源オン時にバックアップメモリに書き込まれた動作パラメータを、表示制御回路基板内のメモリに転送して再書き込みすることができる。従って、前記最適の動作パラメータは失われず、所期の画質の表示画像が得られる（例えば、特許文献１参照）。
【特許文献１】特開平１１−３１２１０１号公報
【発明の開示】
【発明が解決しようとする課題】
【０００７】
しかしながら、従来の表示装置においては、電源のオン、オフに応答して自動的に表示制御回路基板上のメモリと、バックアップメモリとの間で動作パラメータの転送および書き込みを実行するため、表示制御回路基板の交換後に、この表示制御回路基板上のメモリからバックアップメモリに退避させた動作パラメータを、再び前記メモリに書き戻す作業を忘れてしまうことはないが、自動転送、自動書き戻しのため、不良品の検討、解析作業を行う際、動作パラメータの転送を行いたくない場合が生じたとき対応できなくなる。
また、異なる動作パラメータが設定された表示制御回路基板を一時的に装着して取り外す作業を伴う検査、交換作業を行うと、その表示装置に対する最適な動作パラメータが失われてしまうことになる。そこで、動作パラメータの転送を手動で行うことが考えられるが、作業者が忘れてしまうという虞がある。
【０００８】
本発明が解決しようとする課題としては、手動操作時のデータ転送作業忘れといった問題の解決が一例として挙げられる。
【課題を解決するための手段】
【０００９】
請求項１に記載の表示装置は、動作パラメータの格納が可能なメモリおよび前記動作パラメータに応じた表示制御処理を行う制御手段を有する表示制御回路基板と、前記動作パラメータを退避するために、前記メモリに格納された前記動作パラメータを転送して格納が可能なバックアップメモリを有するバックアップメモリ設置基板と、前記バックアップメモリに前記動作パラメータが格納されている状態で、前記メモリに前記動作パラメータが格納されていない状態にあることを検出して警告を行う警告手段と、を有することを特徴とする。
【発明を実施するための最良の形態】
【００１０】
以下、本発明の実施の形態について図面を参照して説明する。
図１は、本発明の実施の形態における表示装置１０の構成を示すブロック図である。
図１に示すように、本実施の形態の表示装置１０は、ＰＤＰなどのディスプレイパネルを組み込んだ表示装置であり、表示制御回路基板１１とバックアップメモリ設置基板１２とを備えている。これらの基板のうち、表示制御回路基板１１上には、制御手段としてのマイコン（マイクロコンピュータ）１３と、メモリ１４と、駆動処理回路（駆動処理ＩＣ）１５とが設けられている。
また、バックアップメモリ設置基板１２上には、バックアップメモリ１６が設けられている。
【００１１】
マイコン１３は、動作パラメータに応じた画像表示に関する制御処理を行う。動作パラメータは、ＰＤＰの組み立て工程において、各製品に対して設定される最適設定値である。この動作パラメータとして、表示装置１０にとって最適のホワイトバランス調整値、電力上限調整値、駆動波形調整値、駆動電圧調整値などがある。
【００１２】
メモリ１４は、前記ホワイトバランス調整値、電力上限調整値等の動作パラメータを格納する書き込み可能なＥＥＰＲＯＭなどの不揮発メモリである。
駆動処理回路１５は、マイコン１３の制御のもとで、ホワイトバランス調整値、電力上限調整値などの動作パラメータに応じた最適のＰＤＰ駆動波形信号を出力するものである。
【００１３】
バックアップメモリ１６は、メモリ１４に書き込まれている前記ホワイトバランス調整値、電力上限調整値等の動作パラメータを退避のために格納するメモリで、ＥＥＰＲＯＭなどの書き込み可能な不揮発性メモリが用いられる。
なお、メモリ１４およびバックアップメモリ１６は、マイコン１３を通じて前記動作パラメータの転送および書き込みを行う。
【００１４】
また、メモリ１４には、マイコン１３の制御のもとで動作パラメータの調整（後述の書き戻し）を済ませたか否かのフラグが書き込まれている。同様にして、バックアップメモリ１６には、動作パラメータがバックアップデータとして入っているか否かのフラグが書き込まれている。
【００１５】
図１において、マイコン１３は、パネル駆動用電源１７の電源電圧を、前記メモリ１４内に書き込まれた駆動電圧調整値等に従って、自動調整するように機能する。パネル駆動回路１８は、パネル駆動用電源１７からＰＤＰ１９の動作に最適な電源電圧を受けて、駆動処理回路１５からの最適な駆動信号波形に従ってＰＤＰ１９を駆動するように機能する。
【００１６】
図２は、表示装置１０の電源オン、オフに応じて、前記メモリ１４およびバックアップメモリ１６間で実施される動作パラメータの転送および書き込みの様子を示す説明図である。
ここで、メモリ１４は領域Ａ、領域Ｂに分けられており、領域Ａには、画質調整データとしての前記ホワイトバランス調整値と、最適駆動パラメータとしての電力上限調整値、駆動波形調整値、駆動電圧調整値が、累積パネル駆動時間などとともに書き込まれている。
一方、領域Ｂには、バックアップ不要の、例えば電源オン、オフのテストデータや各種の検討用データなどが書き込まれている。
【００１７】
次に、表示装置１０における動作パラメータの書き戻し作業について、図３および図４を用いて説明する。図３は、前記書き戻しサービスの手順を示すフローチャートであり、図４は、メモリ１４およびバックアップメモリ１６の書き込み内容と表示内容との対応関係を示す説明図である。
【００１８】
表示制御回路基板１１に何らかの障害が発生し、修理サービスを行う必要が生じたとき、この表示制御回路基板１１を正常動作するものと交換する場合がある。
この修理サービスの作業を行う手順を以下説明する。
まず、表示装置１０の電源をオンからオフに切り替える。
電源がオンからオフに切り替えられると、表示制御回路基板１１上のメモリ１４にあるホワイトバランス調整値、電力上限調整値、駆動波形調整値、駆動電圧調整値、累積パネル稼動時間などの最適の動作パラメータが、マイコン１３を通じてバックアップメモリ設置基板１２上のバックアップメモリ１６に自動的に転送され、かつ格納される。
【００１９】
そこで、表示制御回路基板１１のブロックを単位として、これを新しいものに交換する。
よって、マイコン１３、メモリ１４および駆動処理回路１５が共に新しいものに交換される。交換が正規になされた場合には、続いて表示装置１０の電源をオンに切り替える。
【００２０】
この電源オンの切り替えを行った場合には、表示制御回路基板１１を特定キーの手動操作により所定の修理サービスモードに設定する。
さらに、メニュー画面に表示されている「コピー操作」を手動操作で選択する。
これらの操作によって、バックアップメモリ１６内の動作パラメータがメモリ１４内へ転送され、かつ書き戻される。
【００２１】
こうして、メモリ１４への最適な動作パラメータの格納が完了することとなり、表示装置１０は、最適の動作パラメータに従って、ＰＤＰ１９に正規の画像表示を行うことができる。
【００２２】
ところで、前記のような表示制御回路基板１１の交換を行った直後に、修理サービスの作業者が、交換した表示制御回路基板１１上のメモリ１４に対し、バックアップメモリ１６から最適の動作パラメータを書き戻す作業を、忘れてしまう虞がある。
このため、本実施の形態では、メモリ１４への書き戻しが未完了であることを、作業者に自動的に警告・報知を行うようにしている。
【００２３】
この警告・報知を行うための処理の手順を、以下に説明する。
なお、処理に先立って、表示制御回路基板１１上のメモリ１４には、修理サービスの調整にもとづく前記動作パラメータの書き戻しが終了済み（調整済み）か否かのフラグ（第１識別情報）が書き込まれている。
【００２４】
また、バックアップメモリ設置基板１２上のバックアップメモリ１６にも、前記動作パラメータが、バックアップデータとして入っているか否かのフラグ（第２識別情報）が書き込まれている。
【００２５】
まず、表示装置１０の電源がオンになると、マイコン１３は起動され（ステップＳ２１）、前記メモリ１４およびバックアップメモリ１６内のデータ（動作パラメータ）の読み出しが行われる（ステップＳ２２）。このデータの読み出しにより、マイコン１３はメモリ１４およびバックアップメモリ１６の各フラグの状態を確認する。
【００２６】
具体的には、メモリ１４内に修理サービスの調整後の動作パラメータがバックアップメモリ１６から書き戻されているか否かを（調整済みか否か）を調べる（ステップＳ２３）。
ステップＳ２３にて、メモリ１４に動作パラメータが書き戻し済みである場合（図４の状態２、状態３）は、発光ダイオード（ＬＥＤ）やＰＤＰ１９の画面上（オンスクリーンディスプレイ（ＯＳＤ））では通常の表示が行われる（ステップＳ２５）。
【００２７】
一方、ステップＳ２３にて、メモリ１４内に未だ動作パラメータの書き戻しがない場合は、バックアップメモリ１６に、バックアップデータである動作パラメータが存在するか否かを調べる（ステップＳ２４）。
【００２８】
このステップＳ２４にて、バックアップメモリ１６にも動作パラメータが存在しない場合（図４の状態１）は、表示装置１０は未だ一度も調整されていない状態、即ち製品出荷前の生産工程の途中の状態であるため、ＬＥＤやＰＤＰ１９の画面上（ＯＳＤ）では通常の表示が行われる（ステップＳ２５）。
【００２９】
一方、ステップＳ２４にて、バックアップメモリ１６に動作パラメータが存在する場合（図４の状態４）には、これをバックアップメモリ１６からメモリ１４に転送するように促す警告表示をする（ステップＳ２６）。
【００３０】
この警告表示も、警告手段である表示制御回路基板１１上に設置したＬＥＤやＰＤＰ１９の画面上（ＯＳＤ）で行われる。
【００３１】
なお、ＬＥＤによる警告は点滅、点灯或いは特定の発光色の点灯により行われる。また、警告手段として必要に応じて音声を用いることもできる。
【００３２】
作業者は、この警報を受けて、バックアップメモリ１６からマイコン１３を通じてメモリ１４へ動作パラメータを転送させる（ステップＳ２７）ように、グラフィカルユーザインターフェース（ＧＵＩ）による所定操作を行う。これにより、メモリ１４に動作パラメータが書き戻され、前記警告表示が通常の表示に変わる。
【００３３】
図４において、上述したメモリ１４およびバックアップメモリ１６のフラグの各状態１〜４に対する警報表示の有無を表で示したように、本実施の形態では、動作パラメータのバックアップがあるにも拘わらず、表示制御回路基板１１が未調整で、メモリ１４への最適な動作パラメータの書き戻しがない場合（状態４）のみ警報を発生する。
これにより、作業者に速やかな書き戻し作業の実行を促すようにしている。
【００３４】
以上詳述したように、本実施の形態における表示装置１０は、動作パラメータの格納が可能なメモリ１４および動作パラメータに応じた表示制御処理を行う制御手段（マイコン１３）を有する表示制御回路基板１１と、動作パラメータを退避するために、メモリ１４に格納された動作パラメータを転送して格納が可能なバックアップメモリ１６を有するバックアップメモリ設置基板１２と、バックアップメモリ１６に動作パラメータが格納されている状態で、メモリ１４に動作パラメータが格納されていない状態にあることを検出して警告を行う警告手段と、を有する。
【００３５】
これにより、作業者が表示制御回路基板１１を障害があるものから新しいものに交換する場合に、これまでメモリ１４に格納してあった最適の動作パラメータをバックアップメモリ１６に退避させ、表示制御回路基板１１の交換後に、その最適の動作パラメータを、作業者が忘れずにメモリ１４に書き戻すことができる。
従って、この最適の動作パラメータにもとづき、ＰＤＰ１９に最適の駆動波形および駆動電圧にもとづく画像表示が行える。
【図面の簡単な説明】
【００３６】
【図１】本発明の実施の形態における表示装置を示すブロック図である。
【図２】図１におけるメモリおよびバックアップメモリ間での動作パラメータの転送状況を示す説明図である。
【図３】本発明の実施の形態における動作パラメータの書き戻し手順を示すフローチャートである。
【図４】本発明の実施の形態におけるメモリおよびバックアップメモリのフラグ内容に対する表示内容を示す説明図である。
【符号の説明】
【００３７】
１１  表示制御回路基板
１２  バックアップメモリ設置基板
１３  マイコン（制御手段）
１４  メモリ
１６  バックアップメモリ
１９  ＰＤＰ（プラズマディスプレイパネル）
【図１】
2005309204.tif 000003
【図２】
2005309204.tif 000004
【図３】
2005309204.tif 000005
【図４】
2005309204.tif 000006